(57)【特許請求の範囲】
【請求項１】
振動吸収・圧力分散パッド、枕体及び被覆層を備えた人体工学的に好ましい圧力分散枕であって、
前記振動吸収・圧力分散パッドは、シート状部材であり、
前記枕体は、柔軟性緩衝材料からなり、少なくとも１つのキャビティーが設けられ、前記キャビティーは、頭部の重量がかかる箇所に形成されて後頭部を支え、前記振動吸収・圧力分散パッドにより前記キャビティー上を覆い、前記振動吸収・圧力分散パッドは、接続手段を介して前記枕体に接着され、
前記枕体上に設けられた前記キャビティーは、第１のキャビティーと、前記第１のキャビティーの両側へそれぞれ設けられた左キャビティー及び右キャビティーと、を含み、
前記第１のキャビティーは、前記枕体の頭部の重量を支える箇所に設けられ後頭部を支え、前記左キャビティー及び前記右キャビティーの深さは、前記第１のキャビティーより浅く、
前記振動吸収・圧力分散パッドにより前記第１のキャビティー、前記左キャビティー及び前記右キャビティー上を覆い、
枕面は、接続手段を介して前記枕体に接着され、
前記被覆層は、前記振動吸収・圧力分散パッド及び前記枕体に接着した枕面を覆うことを特徴とする人体工学的に好ましい圧力分散枕。
【請求項２】
前記枕体の縁部には、ユーザの首後部が接触可能なように弧状の切欠きが形成されていることを特徴とする請求項１に記載の人体工学的に好ましい圧力分散枕。
【請求項３】
前記振動吸収・圧力分散パッドは、ジェル又はラテックスからなることを特徴とする請求項１に記載の人体工学的に好ましい圧力分散枕。
【請求項４】
前記枕体は、２つの柔軟性緩衝材料からなり、互いに積層された上層材料及び下層材料を含み、前記上層材料及び前記下層材料は、接着方式により前記枕体と一体化され、前記下層材料において頭部の重量を支える箇所に第１の中央貫通孔が穿設され、前記上層材料において頭部の重量を支える箇所に、前記上層材料を貫通する第２の中央貫通孔と、前記第２の中央貫通孔の両側には、前記上層材料を貫通する左キャビティー及び右キャビティーと、が形成され、前記第２の中央貫通孔は、前記第１の中央貫通孔上に形成されて前記第１の中央貫通孔と連通し、前記第１の中央貫通孔及び前記第２の中央貫通孔により第１のキャビティーが構成されることを特徴とする請求項１に記載の人体工学的に好ましい圧力分散枕。
【請求項５】
前記枕面は、柔軟性緩衝材料からなるシート状部材であることを特徴とする請求項１に記載の人体工学的に好ましい圧力分散枕。
【請求項６】
前記補助パッドは、柔軟性緩衝材料からなるシート状部材であり、前記枕体の底面に結合され、
前記被覆層は、前記枕面、前記振動吸収・圧力分散パッド、前記枕体及び前記補助パッドを覆うことを特徴とする請求項１に記載の人体工学的に好ましい圧力分散枕。
【発明の詳細な説明】
【技術分野】
【０００１】
本発明は、枕に関し、特に、頭部を位置決めし、体型に応じて好ましい支持効果を得る人体工学的に好ましい圧力分散枕の構造に関する。
【背景技術】
【０００２】
人生の約３分の１は睡眠時間であり、多くの研究者が指摘しているように、睡眠の質は健康に影響を与える。例えば、睡眠は体力の回復にとって最も大切である上、青少年の成長にとって十分な睡眠は非常に重要であり、大脳は、睡眠時に体の各部位を修復して正常な機能を回復するように指示を与えたり、昼間学習した情報及び知識を記憶したり整理したりする。要するに、睡眠は、私たちの生活及び健康と密接な関係があり、健康を保つために良好な睡眠は必要不可欠である。
【０００３】
睡眠の質に影響を与える要素は非常に多く、枕の品質の良し悪しも重要な要素の１つである。「心配なく枕を高くして眠る」という言い方があるが、実は人々が眠る際、高い枕を使用することは体にとってあまり良くない。
身体を自然な姿勢に維持するとき、脊椎は、正面から見た場合、直線状であるが、側面から見た場合、頸部の７つの頸椎が僅かに曲がって前方へ突出した弧状を呈する。そのため、寝るときの枕の高さがこの曲がった弧度にちょうど合わない場合、脊椎の形状を自然な状態に保つことができない。
そのため枕が高すぎたり低すぎたりする場合、自然な姿勢で脊椎を好ましい弧度に保つことは困難であり、多くの人は一晩寝ると頸部が硬くなったり痛くなったり、或いは、いわゆる寝違えを起こしたりすることがあるが、これは枕の品質及びその機能が好ましくないことが原因である。
【０００４】
仰向けになるときの枕の高さは５〜８ｃｍであるのが最適であると専門家は指摘している。また、大部分の人は、睡眠時に同じ姿勢を常に保つことはなく、通常、仰向けの姿勢と横向きの姿勢とを交互にとるのが一般的である。
また各人の体型及び肩幅が異なり、男性と女性でも好ましい枕の高さが異なり、成人と子供でも好ましい枕の高さが異なるため、枕を選択する際、その高さは８〜１０ｃｍであることが好ましい。
また、枕を使用する際、圧力を分散させて脊椎又は背中が浮いた状態とならないように十分に支え、枕の下縁と肩の位置が近くなることが好ましい。
【０００５】
従来の枕の各部位の形状は平坦かつ対称的であり、頭部（例えば、後頭部）を支える枕面が平坦であり、大部分の従来の枕は、人体工学的に好ましくなかった。
人体の各部位の曲線を考慮して形状が適宜設計されておらず、仰向けに適した高さを有する枕面は、横向きの姿勢をとった場合低すぎて、反対に枕面が高い枕は横向きの姿勢に適するかもしれないが、仰向けの姿勢をとったときに後頭部の高さが高すぎることがある。
形状記憶発泡体からなる形状記憶枕は、表面の中央部が平坦であり、縁部が曲がって隆起し、中央部より僅かに高くなっているため、隆起した縁部により頸部の後ろを支えることができるが、このような構造は、仰向けで寝るときにしか適用せず、横向きの姿勢にすると、隆起した縁部が中央位置の平坦な枕面より高くなり、反対に頭部の側面（特に耳）が下向きに傾いて姿勢が理想的でなくなる虞がある。
【発明の概要】
【発明が解決しようとする課題】
【０００６】
本発明の目的は、従来の枕の問題に鑑み、健康及び快適性の必要に応じ、頭部を位置決めし、頭部及び脊椎を適宜な位置へ位置決めして寝違えを防ぎ、圧力を均一に分散させ、快適かつ良好な睡眠品質を得ることができる人体工学的に好ましい圧力分散枕を提供することにある。
【課題を解決するための手段】
【０００７】
上記課題を解決するために、振動吸収・圧力分散パッド、枕体及び被覆層を備えた人体工学的に好ましい圧力分散枕であって、
前記振動吸収・圧力分散パッドは、シート状部材であり、
前記枕体は、柔軟性緩衝材料からなり、少なくとも１つのキャビティーが設けられ、前記キャビティーは、頭部の重量がかかる箇所に形成されて後頭部を支え、前記振動吸収・圧力分散パッドにより前記キャビティー上を覆い、前記振動吸収・圧力分散パッドは、接続手段を介して前記枕体に接着され、
前記被覆層は、前記振動吸収・圧力分散パッド及び前記枕体を覆うことを特徴とする人体工学的に好ましい圧力分散枕を提供する。
【０００８】
また、前記枕体の縁部には、ユーザの首後部が接触可能なように弧状の切欠きが形成されていることが好ましい。
【０００９】
また、前記振動吸収・圧力分散パッドは、ジェル又はラテックスからなることが好ましい。
【００１０】
また、前記枕体上に設けられた前記キャビティーは、第１のキャビティーと、前記第１のキャビティーの両側へそれぞれ設けられた左キャビティー及び右キャビティーと、を含む。
前記第１のキャビティーは、前記枕体の頭部の重量を支える箇所に設けられて後頭部を支え、前記左キャビティー及び前記右キャビティーの深さは、前記第１のキャビティーより浅く、前記振動吸収・圧力分散パッドにより前記第１のキャビティー、前記左キャビティー及び前記右キャビティー上を覆い、枕面は、接続手段を介して前記枕体に接着されることが好ましい。
【００１１】
また、前記枕体は、２つの柔軟性緩衝材料からなり、互いに積層された上層材料及び下層材料を含み、前記上層材料及び前記下層材料は、接着方式により前記枕体と一体化され、前記下層材料において頭部の重量を支える箇所に第１の中央貫通孔が穿設さる。
前記上層材料において頭部の重量を支える箇所に、前記上層材料を貫通する第２の中央貫通孔と、前記第２の中央貫通孔の両側には、前記上層材料を貫通する左キャビティー及び右キャビティーと、が形成され、前記第２の中央貫通孔は、前記第１の中央貫通孔上に形成されて前記第１の中央貫通孔と連通し、前記第１の中央貫通孔及び前記第２の中央貫通孔により第１のキャビティーが構成されることが好ましい。
【００１２】
上記課題を解決するために、枕面、振動吸収・圧力分散パッド、枕体及び被覆層を備えた人体工学的に好ましい圧力分散枕であって、前記枕面は、柔軟性緩衝材料からなるシート状部材であり、前記振動吸収・圧力分散パッドは、シート状部材であり、前記枕体は、柔軟性緩衝材料からなり、少なくとも１つのキャビティーが設けられ、前記キャビティーは、頭部の重量がかかる箇所に形成されて後頭部を支え、前記振動吸収・圧力分散パッドにより前記キャビティー上が覆われ、前記枕面、前記振動吸収・圧力分散パッド及び前記枕体間は、接続手段を介して接着され、前記被覆層は、前記振動吸収・圧力分散パッド及び前記枕体を覆うことを特徴とする人体工学的に好ましい圧力分散枕が提供される。
【００１３】
上記課題を解決するために、枕面、振動吸収・圧力分散パッド、枕体、補助パッド及び被覆層を備えた人体工学的に好ましい圧力分散枕であって、前記枕面は、柔軟性緩衝材料からなるシート状部材であり、前記振動吸収・圧力分散パッドは、シート状部材であり、前記枕体は、柔軟性緩衝材料からなり、少なくとも１つのキャビティーが設けられ、前記キャビティーは、頭部の重量がかかる箇所に形成されて後頭部を支え、前記振動吸収・圧力分散パッドにより前記キャビティー上が覆われ、前記枕面、前記振動吸収・圧力分散パッド及び前記枕体間は、接続手段を介して互いに接続され、前記補助パッドは、柔軟性緩衝材料からなるシート状部材であり、前記枕体の底面に結合され、前記被覆層は、前記枕面、前記振動吸収・圧力分散パッド、前記枕体及び前記補助パッドを覆うことを特徴とする人体工学的に好ましい圧力分散枕が提供される。
【発明の効果】
【００１４】
本発明の人体工学的に好ましい圧力分散枕は、頭部の重量を支える箇所に少なくとも１つのキャビティーが設けられ、人体の頭部がキャビティー上の枕面に位置すると、枕面と、キャビティー上を覆う振動吸収・圧力分散パッドとが頭部の重量によりキャビティーへ向かって下方へ落ち込み、この沈み込んだ枕面により頭部を位置決めすることにより、頭部及び脊椎を適宜な箇所へ位置決めし、ユーザの肩を枕の下縁へ接触させて寝違えが起きることを防ぐ。
さらに本発明の他の実施形態の構造では、深さが異なるキャビティー構造を利用し、体型に応じて好ましい支持効果を得て、枕面下に設けられた振動吸収・圧力分散パッドにより圧力を均一に分散させることができる。
【図面の簡単な説明】
【００１５】
【図１】本発明の一実施形態に係る人体工学的に好ましい圧力分散枕を示す断面図である。
【図２】本発明の他の実施形態に係る被覆層を有する人体工学的に好ましい圧力分散枕を示す断面図である。
【図３】図２の枕体の構造を示す分解斜視図（１）である。
【図４】図２の枕体の構造を示す分解斜視図（２）である。
【図５】本発明の他の実施形態に係る人体工学的に好ましい圧力分散枕を示す断面図（１）である。
【図６】本発明の他の実施形態に係る人体工学的に好ましい圧力分散枕を示す断面図（２）である。
【図７】図６の枕体の構造を示す分解斜視図である。
【図８】本発明の他の実施形態に係る人体工学的に好ましい圧力分散枕を示す断面図である。
【図９】図８の枕体の構造を示す分解斜視図である。
【図１０】本発明の他の実施形態に係る人体工学的に好ましい圧力分散枕の枕体の縁部に弧状の切欠きが設けられた状態を示す分解斜視図である。
【図１１】本発明の一実施形態に係る人体工学的に好ましい圧力分散枕を用いてユーザが仰向けに寝て、頭部がキャビティーに落ち込んだときの状態を示す模式図である。
【図１２】本発明の一実施形態に係る人体工学的に好ましい圧力分散枕を用いてユーザが横向きに寝て、頭部が左キャビティーに落ち込んだときの状態を示す模式図である。
【発明を実施するための形態】
【００１６】
（第１実施形態）
図１を参照する。図１に示すように、本発明の第１実施形態に係る人体工学的に好ましい圧力分散枕は、少なくとも枕面１０、振動吸収・圧力分散パッド２０及び枕体３０から構成される。
【００１７】
枕面１０は、柔軟性緩衝材料からなるシート状部材である。
【００１８】
振動吸収・圧力分散パッド２０は、振動吸収・圧力分散材料からなるシート状部材であり、ジェル（ｇｅｌ）又はシリコン（ｓｉｌｉｃｏｎ）である振動吸収・圧力分散材料からなってもよい。
【００１９】
枕体３０は、柔軟性緩衝材料からなり、少なくとも１つのキャビティー３１が設けられている。このキャビティー３１は、頭部の重量がかかる箇所に形成されて後頭部を支える。
キャビティー３１上は、振動吸収・圧力分散パッド２０により覆われ、振動吸収・圧力分散パッド２０上は、枕面１０により覆われる。枕面１０は、接着を含む接続手段を介し、振動吸収・圧力分散パッド２０と枕体３０とを接着させ、頭部がキャビティー３１上の枕面１０に位置すると、枕面１０と、キャビティー３１上を覆う振動吸収・圧力分散パッド２０とが、頭部の重量によりキャビティー３１に向かって下向きに落ち込む（図１１参照）。
【００２０】
ジェルは、圧力伝達性及び衝撃力吸収性に優れた高分子化合物又は高分子共重合体からなり、熱可塑性を有してその硬度を必要に応じて調整し、低反発弾性を備えるため、柔軟性が高い圧力分散材料に適用することができる。本実施形態の構造では、振動吸収・圧力分散パッド２０の表面に格子状の突起（図３参照）が設けられたり、球状のような表面形状に形成されたりしてもよく、マッサージ効果を兼ね備えたり、振動吸収・圧力分散パッドを平坦な中実体に製作したりしてもよい。
【００２１】
本実施形態の枕体３０を構成する柔軟性緩衝材料は、発泡体、高密度発泡体又はラテックスでもよい。
【００２２】
本実施形態において、枕面１０及び枕体３０の外表面には、被覆層４０が形成されている（図２参照）。この被覆層４０は、人工皮革（例えば、ポリ塩化ビニル（ＰＶＣ）又はポリウレタン（ＰＵ）人工皮革）、人工繊維布又は天然繊維布でもよい。
【００２３】
実際には、図２の枕体３０の製造は、図３に示すように、加工技術（例えば、カット方式）により枕体３０に貫通されたキャビティー３１を形成してもよい。このキャビティー３１は、頭部が枕体３０に対して圧力を加える方向に沿って枕体３０に穿設されている。キャビティー３１上は、振動吸収・圧力分散パッド２０により覆われ、振動吸収・圧力分散パッド２０上は、枕面１０により覆われる。
図４は、本発明の一実施形態に係る人体工学的に好ましい圧力分散枕を示し、枕体３０の底部には、補助パッド５０が配置され、この補助パッド５０により本実施形態の人体工学的に好ましい圧力分散枕の高さを高くする。この補助パッド５０は、柔軟性緩衝材料からなるシート状部材であり、接着剤を含む接続手段により枕体３０の底面に接着されてもよい。
【００２４】
（第２実施形態）
図５を参照する。図５に示すように、本発明の第２実施形態に係る人体工学的に好ましい圧力分散枕は、少なくとも振動吸収・圧力分散パッド２０、枕体３０及び被覆層４０から構成される。
【００２５】
振動吸収・圧力分散パッド２０は、振動吸収・圧力分散材料からなるシート状部材であり、ジェル（ｇｅｌ）又はシリコン（ｓｉｌｉｃｏｎ）である振動吸収・圧力分散材料からなってもよい。
【００２６】
枕体３０は、柔軟性緩衝材料からなり、少なくとも１つのキャビティー３１が設けられている。このキャビティー３１は、頭部の重量がかかる箇所に形成されて後頭部を支える。キャビティー３１上は、振動吸収・圧力分散パッド２０により覆われる。
【００２７】
被覆層４０は、枕体３０及び振動吸収・圧力分散パッド２０の外表面を覆う。
【００２８】
本実施形態の被覆層４０及び振動吸収・圧力分散パッド２０には、多数の通気穴が設けられているため、本実施形態の人体工学的に好ましい圧力分散枕は、高い通風機能を有する。
【００２９】
（第３実施形態）
図６を参照する。図６に示すように、本発明の第３実施形態に係る人体工学的に好ましい圧力分散枕は、少なくとも枕面１０、振動吸収・圧力分散パッド２０及び枕体３０から構成される。
【００３０】
枕面１０は、振動吸収・圧力分散材料からなるシート状部材である。
【００３１】
振動吸収・圧力分散パッド２０は、振動吸収・圧力分散材料からなるシート状部材であり、ジェル（ｇｅｌ）又はシリコン（ｓｉｌｉｃｏｎ）である振動吸収・圧力分散材料からなってもよい。
【００３２】
枕体３０は、柔軟性緩衝材料からなり、第１のキャビティー３１ａと、第１のキャビティー３１ａの両側にそれぞれ形成された左キャビティー３１ｂ及び右キャビティー３１ｃと、を有する。
第１のキャビティー３１ａは、頭部の重量を支える箇所に設けられて後頭部を支え、左キャビティー３１ｂ及び右キャビティー３１ｃの深さは、第１のキャビティー３１ａより浅く、横向きの姿勢で寝る際、頭部の側面を支え（図１２参照）、振動吸収・圧力分散パッド２０により第１のキャビティー３１ａ、左キャビティー３１ｂ及び右キャビティー３１ｃ上を覆い、枕面１０により振動吸収・圧力分散パッド２０上を覆い、枕面１０は、接着を含む接続手段により枕体３０に接着される。
ユーザが仰向けになった場合、後頭部が第１のキャビティー３１ａ上の枕面１０に位置し、枕面１０と、第１のキャビティー３１ａ上を覆う振動吸収・圧力分散パッド２０とが、頭部の重量により第１のキャビティー３１ａに向かって下向きに落ち込む。
ユーザが左側又は右側へ横向きの姿勢をとると、左キャビティー３１ｂ及び右キャビティー３１ｃにより頭部の側面を支え、横向きの姿勢をとったときの肩幅により、ベッド面から脊椎までの距離が、仰向けの姿勢をとったときのベッド面から脊椎までの距離より大きいが、左キャビティー３１ｂ及び右キャビティー３１ｃの深さが第１のキャビティー３１ａより小さいため、ユーザの体型に応じて好ましい支持効果を依然として得ることができる。
【００３３】
図６を参照する。図６に示すように、本実施形態の枕体３０は、図７に示すように、２つの柔軟性緩衝材料により構成され、互いに積層された上層材料Ａ１及び下層材料Ａ２を含んでもよい。
上層材料Ａ１と下層材料Ａ２とは、接着を含む接続手段により接着され、加工技術（例えば、カット方式）を利用して下層材料Ａ２において頭部の重量を支える箇所に、下層材料Ａ２の第１の中央貫通孔３２ａを穿設させる。上層材料Ａ１は、頭部の重量を支える箇所に加工技術（例えば、カット方式）を利用し、上層材料Ａ１を貫通する第２の中央貫通孔３２ｂと、第２の中央貫通孔３２ｂの両側に左キャビティー３１ｂ及び右キャビティー３１ｃと、がそれぞれ形成されている。
左キャビティー３１ｂ及び右キャビティー３１ｃは、上層材料Ａ１に穿設され、第２の中央貫通孔３２ｂは、第１の中央貫通孔３２ａ上に形成されて第１の中央貫通孔３２ａと連通し、第１の中央貫通孔３２ａ及び第２の中央貫通孔３２ｂにより第１のキャビティー３１ａが構成され、振動吸収・圧力分散パッド２０により第１のキャビティー３１ａ、左キャビティー３１ｂ及び右キャビティー３１ｃ上を覆い、枕面１０により振動吸収・圧力分散パッド２０上を覆う。上述の構成により、第１のキャビティー３１ａ、左キャビティー３１ｂ及び右キャビティー３１ｃの深さは異なる。
【００３４】
図６の枕体３０は、図８及び図９に示すように、底部に補助パッド５０が配置されてもよい。この補助パッド５０は、本実施形態の人体工学的に好ましい圧力分散枕の高さを増やし、柔軟性緩衝材料からなるシート状部材であり、接着を含む接続手段により枕体３０の底面に接着してもよい。
【００３５】
図１０は、本実施形態の人体工学的に好ましい圧力分散枕の他の態様を示し、枕体３０の縁部には、弧状の切欠き３３が設けられている。この切欠き３３は、ユーザの首部近くに密着され、人体工学的に好ましい圧力分散枕の下縁をユーザの肩へ密着させて脊椎及び背中を適宜支えることができる。
【００３６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３７】
１０  枕面
２０  振動吸収・圧力分散パッド
３０  枕体
３１  キャビティー
３１ａ  第１のキャビティー
３１ｂ  左キャビティー
３１ｃ  右キャビティー
３２ａ  第１の中央貫通孔
３２ｂ  第２の中央貫通孔
３３  切欠き
４０  被覆層
５０  補助パッド
Ａ１  上層材料
Ａ２  下層材料
【図１】
0005498539.tif 000002
【図２】
0005498539.tif 000003
【図３】
0005498539.tif 000004
【図４】
0005498539.tif 000005
【図５】
0005498539.tif 000006
【図６】
0005498539.tif 000007
【図７】
0005498539.tif 000008
【図８】
0005498539.tif 000009
【図９】
0005498539.tif 000010
【図１０】
0005498539.tif 000011
【図１１】
0005498539.tif 000012
【図１２】
0005498539.tif 000013